【事件の表示】
　特願２０１５−１３８０７５「多セグメント型アブレーション電極を有する灌注式アブレーションカテーテル」拒絶査定不服審判事件〔平成２７年１１月２６日出願公開、特開２０１５−２１１８７４〕について、次のとおり審決する。
【結　論】
　本件審判の請求は、成り立たない。
【理　由】
第１　手続の経緯
　本件出願は、平成２２年５月５日（パリ条約による優先権主張　平成２１年５月７日　（ＵＳ）アメリカ合衆国）を国際出願日とする特願２０１２−５０９９４４号の一部を平成２６年４月３０日に新たな特許出願とした特願２０１４−９３６３５号の一部を平成２７年７月９日に新たな特許出願としたものであって、平成２７年８月１０日に特許請求の範囲について手続補正書が提出され、平成２８年６月２４日付けで拒絶の理由が通知され、同年９月２８日に意見書とともに特許請求の範囲について手続補正書が提出されたものの、平成２９年２月１７日付けで拒絶をすべき旨の査定がされた。そして、平成２９年６月１３日に拒絶査定不服審判が請求されるとともに特許請求の範囲について手続補正（以下、「本件補正」という。）がなされたものである。
第２　平成２９年６月１３日付けの手続補正についての補正却下の決定
［補正却下の決定の結論］
　平成２９年６月１３日付けの手続補正を却下する。
［理由］
１　本件補正
　本件補正は、平成２８年９月２８日付けで補正された特許請求の範囲を補正するものであって、特許請求の範囲の請求項１に関する以下の補正を含むものである。（なお、下線部は補正箇所を明確にする目的で当審にて付与した。）
（１）補正前の請求項１（平成２８年９月２８日付け手続補正書）
「カテーテル装置であって、
　近位端と、遠位端を含む遠位部分と、を備える細長本体と、
　側壁と、前記側壁内を通過しているルーメンと、を含み、前記遠位部分を少なくとも部分的に通過しているルーメン部材であって、前記ルーメン部材の前記側壁を通過している複数の開口を含む前記ルーメン部材と、
　前記遠位部分にある複数の電極セグメントであって、前記ルーメン部材とは別体に構成されている前記複数の電極セグメントと、
　少なくとも１つの中間セグメントと、を備え、
　前記複数の電極セグメントは、少なくとも１つの中間セグメントの各々によって、互いに離間され、
　前記複数の電極セグメントの各々は、側壁を備え、
　前記複数の電極セグメントの各側壁は、当該側壁を少なくとも部分的に通過している少なくとも１つの開口を含み、
　前記遠位部分は、ループ状にプリフォームされている、カテーテル装置。」
（２）補正後の請求項１
「カテーテル装置であって、
　近位端と、遠位端を含む遠位部分と、を備える細長本体と、
　側壁と、前記側壁内を通過しているルーメンと、を含み、前記遠位部分を少なくとも部分的に通過しているルーメン部材であって、前記ルーメン部材の前記側壁を通過している複数の開口を含む前記ルーメン部材と、
　前記遠位部分にある複数の電極セグメントであって、前記ルーメン部材とは別体に構成されている前記複数の電極セグメントと、
　少なくとも１つの中間セグメントと、を備え
ており
　前記複数の電極セグメントは、少なくとも１つの中間セグメントの各々によって、互いに離間され、
　前記複数の電極セグメントの各々は、側壁を備え、
　前記複数の電極セグメントの各側壁は、当該側壁を少なくとも部分的に通過している少なくとも１つの開口を含み、
　前記遠位部分は、ループ状にプリフォームされている、カテーテル装置。」
２　本件補正の適否
　本件補正は、補正前の請求項１に係る発明の「を備え、」を、「を備え
ており
　補正の目的について、請求人は審判請求書において、特許請求の範囲の減縮であると主張するが、その理由について何ら具体的に言及しておらず、補正前の請求項１に係る発明のいずれかの特定事項を減縮しているとも、あるいは日本語として「を備え、」との語句の意味を減縮しているとも認められない。
　しかしながら、本件の事案に鑑み、本件補正を、一応請求人の主張する、特許請求の範囲の減縮を目的とするものとして、本件補正後の請求項１に係る発明（以下、「補正発明」という。）が、特許出願の際独立して特許を受けることができるものであるか、すなわち同条第６項において準用する同法第１２６条第７項に規定される特許出願の際独立して特許を受けることができるものでなければならないとの要件に適合するものであるかについて、以下検討することとする。
（１）補正発明
　補正発明は、特許請求の範囲、明細書及び図面の記載からみて、上記１（２）に示す、補正後の特許請求の範囲の請求項１に記載された事項により特定されるとおりのものであると認める。
（２）引用文献の記載事項及び引用文献に記載された発明
（２−１）引用文献１の記載事項
　原査定の拒絶の理由に引用された、本件優先日前に頒布された米国特許出願公開第２００８／０２４９４６３号明細書（以下、「引用文献１」という。）には、「MULTI-ELECTRODE IRRIGATED BALLOON CATHETER」（多電極灌流バルーンカテーテル）に関して、図面とともに以下の事項が記載されている。括弧内の日本語は、当審で付した仮訳である。
ア　「［００１０］The present invention provides apparatus, systems and methods in which a catheter with multiple irrigated electrodes having uniform cooling and/or uniform fluid delivery is provided, useful in uniform cooling of the electrodes and/or the surrounding tissues. The catheter comprises an elongated tubular catheter body having a distal end, a proximal end, and a lumen extending longitudinally within the catheter body. A number of elution holes are provided in each electrode, and these holes are in fluid communication with the lumen through ducts. As such, cooling fluid is delivered from the pump, through the lumen, through the ducts, and out of the holes to the environment outside of the catheter.」
（［００１０］本発明は、電極、および／または周囲組織の均一な冷却に有益な、均一な冷却および／または均一な流体送達を伴う複数の灌流式電極を備えたカテーテルに関する装置、システムおよび方法を提供するものである。カテーテルは、遠位端、近位端、および、カテーテル本体内に長手方向に延びる内腔を有する細長い管状のカテーテル本体を備えている。多数の溶出孔が各電極に設けられており、これらの孔は、ダクトを介して内腔と連通している。このように、冷却流体がポンプから供給され内腔を通って、ダクトを通って、そして溶出孔からカテーテルの外側に出る。）
イ　「［００４３］Referring now to  FIG. 1 , which illustrates a catheter system  10 , having control unit body  12 , tubing sets  14  and  16 , and an elongated catheter body  18  with distal region  20 . Tubing sets  14  and  16  can be connected to any suitable known devices in the art such as monitor/display, RF generator, signal processor, fluid pump, etc. The preferred system  10  can also use temperature sensor and mapping tool such as those described in U.S. Pat. No. 6,217,573, incorporated herein by reference in its entirety.
［００４４］In  FIG. 2 , catheter distal region  20  has bands of electrodes  22  positioned spaced apart in different longitudinal sections. Each band of electrodes  22  has elution holes  25  located in the same longitudinal sections. At the terminal end is catheter tip  21 , also having electrodes. Catheter tip  21  can be manufactured separately and attached to the rest of the elongated catheter body.
［００４５］The contemplated catheter tip  21  can be made of suitable biocompatible materials to conduct RF energy and to withstand temperature extreme, such materials include natural and synthetic polymers, various metals and metal alloys, naturally occurring materials, textile fibers, glass and ceramic materials, sol-gel materials, and all reasonable combinations thereof More preferably, the catheter tip  21  is made of 90% platinum with 10% iridium.
［００４６］FIG. 3  shows one preferred embodiment of the catheter tip  21 , having a through hole  26  and groove  28 . Hole  26  and groove  28  are used to help attaching the catheter tip  21  to the catheter body  18 . Catheter body  18  has corresponding structures to matingly couple to the groove  28  and hole  26 .
［００４７］FIG. 4  is a side view of the catheter tip  21 . Preferred embodiments of the catheter tip  21  have two rows of elution holes  25 .・・・」
（［００４３］ここで図１を参照すると、カテーテルシステム１０は、制御部本体１２と、チューブセット１４及び１６と、遠位領域２０を有する細長いカテーテル本体１８を有する。チューブセット１４及び１６は、モニタ／ディスプレイ、ＲＦ発生器、信号処理器、流体ポンプ、等のような当技術分野において周知の任意の適切な装置に接続することができる。好適なシステム１０は、参照によりその全体が本明細書に組み込まれる米国特許第６，２１７，５７３号に記載されているような、温度センサ及びマッピングツールも使用することができる。
［００４４］図２で、カテーテル遠位領域２０は、異なる長手方向部分に間隔を置いて配置された電極２２のバンドを有している。電極２２の各バンドは、同一の長手方向区分内に配置された溶出孔２５を有している。末端でカテーテル先端部２１もまた、電極を有している。カテーテル先端２１は、別々に製造され、細長いカテーテル本体の残りの部分に取り付けることができる。
［００４５］意図されるカテーテル先端部２１は、ＲＦエネルギーを伝導するために、極端な温度に耐えるのに適した生体適合性材料で作ることができ、そのような材料には、天然及び合成ポリマー、様々な金属および金属合金、天然に存在する材料、紡織繊維、ガラス及びセラミック材料、ゾル−ゲル材料、並びにこれらの妥当なすべての組み合わせを含み、より好ましくは、カテーテル先端部２１は１０％のイリジウムを有する白金９０％で構成されている。
「００４６］図３は、貫通孔２６及び溝２８を有する、カテーテル先端部２１の１つの好ましい実施形態を示す。貫通孔２６及び溝２８は、カテーテル先端部２１をカテーテル本体１８に取り付けるのを助けるために使用されている。カテーテル本体１８は溝２８及び貫通孔２６に嵌合するために対応した構造を有している。
［００４７］図４は、カテーテル先端２１の側面図である。カテーテル先端部２１の好ましい実施形態は、２列の溶出孔２５を有している。・・・）
ウ　「［００５６］In  FIG. 14-17 , three inflatable balloons  230A,  230B,  230C can be optionally provided to the electrode catheter as discussed above.」
（図１４−１７のように、３つの膨張可能なバルーン２３０Ａ，２３０Ｂ，２３０Ｃを、上記で議論した電極カテーテルに対して任意に提供することができる。）
エ　「1 . An irrigated catheter comprising:
 a catheter body having an exterior surface and at least one internal lumen with a varied diameter along a longitudinal length thereof for passage of a fluid; a plurality of elution holes along the exterior surface and spaced from one another along the longitudinal length of the catheter body; and a plurality of ducts in fluid communication with the lumen, each duct leading from the lumen to one of the elution holes; wherein the diameter of the lumen is varied between at least two of the longitudinally spaced ducts to change a fluid pressure along the longitudinal length and regulate fluid flow through the spaced apart elution holes. 
・・・
3. The irrigated catheter of claim 1 further comprising at least one RF ablation electrode at a distal end of the catheter body, the RF electrode having an outer surface, the elution holes provided in the outer surface.
・・・
31. The irrigated catheter of  claim 1 , further comprising a plurality of electrodes coupled to the catheter body and spaced along the longitudinal length of the catheter body;
 wherein the elution holes are provided in the electrodes. 」
（１．外面と、長さ方向に沿って直径が変化し、流体の通路となる少なくとも１つの内腔を有するカテーテル本体；前記外面に沿って、カテーテル本体の長手方向に沿って互いに間隔を有した複数の溶出孔；各ダクトが前記内腔から前記溶出孔の１つに至る、前記内腔と流体連通する複数のダクトを備えるとともに；長手方向に沿って流体圧を変化させ、間隔を置いて溶出孔を出る流体の流れを調整するために、前記内腔の直径が長手方向に離間したダクトの少なくとも２個の間で変化する、ことを特徴とする灌流式カテーテル。
・・・
３．前記カテーテル本体の遠位端に少なくとも１つのＲＦアブレーション電極を備え、当該ＲＦ電極は外側表面を備え、前記溶出孔は当該外側表面にあることを特徴とする、請求項１に記載の灌注式カテーテル。
・・・
３１．さらに、前記カテーテル本体に結合されかつカテーテル本体の長手方向に沿って離間された複数の電極とを備え；該電極には溶出孔が設けられていることを特徴とする、請求項１に記載の灌流式カテーテル。）
ａ　図１を参照しつつ、摘記事項アの「カテーテルは、遠位端、近位端、および、カテーテル本体内に長手方向に延びる内腔を有する細長い管状のカテーテル本体部分を備えている。」との記載、摘記事項イの「［００４３］ここで図１を参照すると、カテーテルシステム１０は、制御部本体１２と、チューブセット１４及び１６と、遠位領域２０を有する細長いカテーテル本体１８を有する。」及び摘記事項ウの「１．外面と、長さ方向に沿って直径が変化し、流体の通路となる少なくとも１つの内腔を有するカテーテル本体；・・・を備える・・・ことを特徴とする灌流式カテーテル。」との記載を併せ読むと、引用文献１には、カテーテルが、「近位端と、遠位端を含む遠位領域２０と、外面と、長手方向に延びる内腔とを備えるカテーテル本体」を備えることが開示されている。
ｂ　図２を参照しつつ、摘記事項アの「［００１０］本発明は、電極、および／または周囲組織の均一な冷却に有益な、均一な冷却および／または均一な流体送達を伴う複数の灌流式電極を備えたカテーテルに関する装置、システムおよび方法を提供するものである。・・・多数の溶出孔が各電極に設けられており、これらの孔は、ダクトを介して内腔と連通している。このように、冷却流体がポンプから供給され内腔を通って、ダクトを通って、そして溶出孔からカテーテルの外側に出る。」との記載、摘記事項イの「［００４４］図２で、カテーテル遠位領域２０は、異なる長手方向部分に間隔を置いて配置された電極２２のバンドを有している。」との記載、摘記事項エの「３．前記カテーテル本体の遠位端に少なくとも１つのＲＦアブレーション電極を備え、当該ＲＦ電極は外側表面を備え、前記溶出孔は当該外側表面にあることを特徴とする、請求項１に記載の灌注式カテーテル。」との記載を総合すると、引用文献１のカテーテルは、「遠位領域２０は、異なる長手方向部分に間隔をおいて配置された複数の電極２２のバンドを備え、前記複数の電極２２のバンドの各々は、外側表面を備え、前記複数の電極２２のバンドの各外側表面は、同一の長手方向区分内に配置され、冷却流体が内腔を通ってカテーテルの外側に出る、溶出孔を備えている」ものといえる。　
（２−２）引用文献１に記載された発明
　引用文献１の摘記事項ア〜エ及び認定事項ａ、ｂを、図面を参照しつつ技術常識を踏まえて整理すると、引用文献１には、以下の発明（以下、「引用発明１」という。）が記載されていると認められる。
「　カテーテルであって、
　近位端と、遠位端を含む遠位領域２０と、外面と、長手方向に延びる内腔とを備えるカテーテル本体と、
　前記遠位領域２０は、異なる長手方向部分に間隔をおいて配置された複数の電極２２のバンドを備えており、
　前記複数の電極２２のバンドの各々は、外側表面を備え、
　前記複数の電極２２のバンドの各外側表面は、同一の長手方向区分内に配置され、冷却流体が内腔を通ってカテーテルの外側に出る、溶出孔を備えている、
　カテーテル。」
（３−１）引用文献２の記載事項
　原査定の拒絶の理由に引用された、本件優先日前に頒布された米国特許出願公開第２００８／００１６１７８８号明細書（以下、「引用文献２」という。）には、「ABLATION CATHETER WITH SENSOR ARRAY AND DISCRIMINATION CIRCUIT TO MINIMIZE VARIATION IN POWER DENSITY」（センサーアレイと電力密度の変化を最小化するための判定回路を備えたアブレーションカテーテル）に関して、図面とともに以下の事項が記載されている。括弧内の日本語は、当審で付した仮訳である。
　「［００５４］The catheter  22  may further house a shape-retention or shape-memory wire  48  in order to impart a desired shape to the distal end  12  of the catheter  22  in the area of the ablation electrode section  20 . See also  FIGS. 5-7 . A shape-retention or shape-memory wire  48  is flexible while a clinician negotiates the catheter  22  through the vasculature to reach the heart and enter an atrial chamber. Once the distal end  12  of the catheter  22  reaches the desired cardiac cavity with the ablation electrode section  20 , the shape-retention/shape-memory wire  48  can be caused to assume a pre-formed shape form, e.g., the C-shaped configuration of the ablation electrode section  20 , to accurately orient the ablation electrode section  20  within the cardiac cavity for the procedure to be performed. The C-shaped configuration of the ablation electrode section  20  as shown in  FIGS. 2 and 3  may be imparted to the catheter through the use of such shape-retention or shape-memory wires, in addition to or in lieu of pre-molding of the catheter material, to appropriately conform to tissue or to the shape of a cavity in order to create the desired lesion at a desired location.」
（［００５４］カテーテル２２は、アブレーション電極セクション２０の領域のカテーテル２２の遠位端１２に所望の形状を付与するために、形状保持又は形状記憶ワイヤ４８を収容してもよい。図５−７を参照のこと。形状保持又は形状記憶ワイヤ４８は、臨床医がカテーテル２２を心臓に至る血管系を通り抜けて心房に入れる間、可撓性である。カテーテル２２の遠位端１２がアブレーション電極セクション２０と共に所望の心腔に到達すると、形状保持／形状記憶ワイヤ４８は、実行しようとする処置に応じてアブレーション電極セクション２０を心腔内で正確に方向付けるために、例えば、アブレーション電極セクション２０のＣ型の形状のような、予め形成された形状の形態にすることができる。図２及び図３に示すアブレーション電極セクション２０のＣ型の形状は、カテーテル材料を予め成形することに加え、又はその代わりに、そのような形状保持又は形状記憶ワイヤを使用することにより、所望の傷を所望の位置に作るために組織又は腔の形状に適切に適合することができる。）
（３−２）引用文献２に記載された発明
　引用文献２の摘記事項を、図面を参照しつつ技術常識を踏まえて整理すると、引用文献２には、以下の発明（以下、「引用発明２」という。）が記載されていると認められる。
「カテーテル２２の遠位端１２を含む領域のアブレーション電極セクション２０がＣ型の形状に予め形成されていること」
（４）対比及び判断
ア　対比
　補正発明と引用発明１とを、その文言の意味、機能等に基づき技術常識をふまえて対比すると、引用発明１の「カテーテル」は補正発明の「カテーテル装置」に相当する。以下同様に、「遠位領域２０」は「遠位部分」に、「内腔」は「ルーメン」に、「カテーテル本体」は「細長本体」及び「ルーメン部材」に、カテーテル本体が備える「外面」はルーメン部材が含む「側壁」に、「電極２２のバンド」は「電極セグメント」に、電極２２のバンドが備える「外側表面」は電極セグメントが備える「側壁」に、電極２２のバンドが備える「溶出孔」は電極セグメントが含む「開口」に、それぞれ相当する。
　また、引用発明１のカテーテル本体の「内腔」は、その字義から内部に設けられた腔を意味することが明らかであるから、外面である「側壁」内「を通過している」ということができる。さらに、引用発明１のカテーテル本体は、遠位領域２０を備えているのであるから、「遠位部分を少なくとも部分的に通過している」といえる。
　そして、引用発明１のカテーテルは、「冷却流体が内腔を通ってカテーテルの外側に出る」のであるから、冷却流体は、側壁内を通過している内腔から電極２２のバンドの外側表面の溶出孔から出る、すなわち内腔から、カテーテル本体の側壁を通過し、さらに電極２２のバンドの外側表面の溶出孔から出るものといえる。よって、引用発明１のカテーテル本体は「前記側壁を通過している複数の開口を含む」ということができる。
　さらに、引用発明１のカテーテルの遠位領域２０に配置された複数の電極２２のバンドは、「異なる長手方向部分に間隔をおいて配置された」ものであるから、それらの電極２２のバンド同士の間隔に相当する部分が存することは自明である。そして、引用発明１のカテーテルにおいて、当該「電極２２のバンド同士の間隔に相当する部分」は、複数の電極２２のバンドを互いに離間するものといえるから、補正発明の「中間セグメント」に相当し、引用発明１は「少なくとも１つの中間セグメント」「を備えており、前記複数の電極セグメントは、少なくとも１つの中間セグメントの各々によって、互いに離間され」ているということができる。
　してみると、補正発明と引用発明１とは、以下の一致点において一致し、相違点１及び２において相違する。
（一致点）
「　カテーテル装置であって、
　近位端と、遠位端を含む遠位部分と、を備える細長本体と、
　側壁と、ルーメンと、を含み、前記遠位部分を少なくとも部分的に通過しているルーメン部材であって、前記ルーメン部材の前記側壁を通過している複数の開口を含む前記ルーメン部材と、
　前記遠位部分にある複数の電極セグメントと、　
　少なくとも１つの中間セグメントと、を備えており、
　前記複数の電極セグメントは、少なくとも１つの中間セグメントの各々によって、互いに離間され、
　前記複数の電極セグメントの各々は、側壁を備え、
　前記複数の電極セグメントの各側壁は、当該側壁を少なくとも部分的に通過している少なくとも１つの開口を含む、
　カテーテル装置。」
（相違点１）
　補正発明では、「複数の電極セグメントが、ルーメン部材とは別体に構成されている」のに対し、引用発明１では、複数の電極２２のバンドとカテーテル本体とは別体に構成されているか明らかでない点。
（相違点２）
　補正発明では、「遠位部分は、ループ状にプリフォームされている」のに対して、引用発明１では、遠位領域２０が、ループ状にプリフォームされているか明らかでない点。
イ　判断
　相違点１について検討する。
　引用発明１の複数の電極２２のバンドについて検討すると、引用文献１には、複数の電極２２のバンドを如何にして設けたかについての明示的な記載は見あたらない。
　しかし、複数の電極２２のバンドの「バンド」とは、一般に、「平たいひも」（広辞苑第六版）を指すことに鑑みると、引用発明１の複数の電極２２のバンドは、平たいひも状の構成を備えたものと解される。
　そして、複数の電極２２のバンドとカテーテル本体の各々が有する機能に注目すると、複数の電極２２のバンドはＲＦエネルギーの伝導という機能を有するのに対し、カテーテル本体は患者の血管に挿入され、複雑な脈管構造を有する血管の中をたどって術部まで導入されるという機能を有し、具体的には、柔軟性やカテーテル本体の近位側で加えられた術者の回転等の操作を的確に伝達するトルク伝達特性等が求められることは、当該分野における技術常識といえる。同時に、異なる機能が求められる部品を、それぞれの機能に応じ適切な材料を用いて別個に作成し、それらを組み立てることにより、最終的な製品とすることもまたごく普通に行われていることである。
　さらに、上記摘記事項イの「［００４４］図２で、カテーテル遠位領域２０は、・・・末端でカテーテル先端部２１もまた、電極を有している。カテーテル先端２１は、別々に製造され、細長いカテーテル本体の残りの部分に取り付けることができる。［００４５］意図されるカテーテル先端部２１は、ＲＦエネルギーを伝導するために、極端な温度に耐えるのに適した生体適合性材料で作ることができ、そのような材料には、天然及び合成ポリマー、様々な金属および金属合金、天然に存在する材料、紡織繊維、ガラス及びセラミック材料、ゾル−ゲル材料、並びにこれらの妥当なすべての組み合わせを含み、より好ましくは、カテーテル先端部２１は１０％のイリジウムを有する白金９０％で構成されている。」との記載をみると、カテーテル遠位領域において複数の電極２２のバンドと同様にＲＦエネルギーの組織への伝導という機能を有し、好ましくはイリジウムと白金の合金からなるカテーテル先端部２１を、カテーテル本体の残りの部分に取り付ける、すなわちカテーテル本体とは別体に構成することが開示されている。
　また、アブレーション等に用いるカテーテルの電極とカテーテル本体とを別体に構成することは、常套手段である（必要があれば、特開２００９−２６８６９６号公報（図１及び３のカテーテル先端部３０におけるリング状電極３１を参照）、特表２００８−５２０２７９号公報（図３のチューブ１９におけるリング電極３８を参照。）、特表２００５−５０６８７２号公報（図１、２、４の外部構造物１１２における電極１０６を参照。）、特表２００２−５３１１６４号公報（図３の端部シャフト１３におけるリング状の切除電極１４を参照。））といえる。
　これらを総合してみると、引用発明１の複数の電極２２のバンドは、カテーテル本体とは別体に構成されているものといえる。
　してみると、相違点１は実質的なものでない。
　次に相違点２について検討する。
　引用文献２には引用発明２が記載されているところ、引用発明２の「カテーテル２２の遠位端１２を含む領域のアブレーション電極セクション２０」は補正発明の「遠位部分」に相当し、同様に「Ｃ型の形状に予め形成されている」は「ループ状にプリフォームされている」に相当する。
　そして、引用発明１及び２はいずれもアブレーションに用いるカテーテルに関する発明であるから、引用発明１の遠位領域２０の構成として、引用発明２を採用することにより、相違点２に係る補正発明の構成とすることは、当業者にとって容易に想到できたことといえる。
　
　また、本件明細書に記載された補正発明の効果について検討しても、引用発明１及び２が奏する効果からみて、格別顕著なものということはできない。
　よって、補正発明は引用発明１及び２に基づいて、当業者が容易に発明することができたものであるから、特許法第２９条第２項の規定により、特許出願の際独立して特許を受けることができるものでない。
（５）本件補正についての結び
　以上のとおりであるから、本件補正は、特許法１７条の２第６項において準用する同法第１２６条第７項の規定に違反している。よって、同法第１５９条第１項において読み替えて準用する同法第５３条第１項の規定により、本件補正は却下すべきものである。
　よって、上記［補正却下の決定の結論］のとおり決定する。
第３　本願発明
　本件補正が上記のとおり却下されたので、本願の請求項１〜２２に係る発明は、平成２８年９月２８日付け手続補正書によって補正された特許請求の範囲の請求項１〜２２に記載された事項により特定されるとおりのものであって、その請求項１に係る発明（以下、「本願発明」という。）は、上記第２　１（１）に示すとおりのものであると認める。
第４　原査定の拒絶の理由
　本願発明に対する原査定の拒絶の理由は、その優先日前に日本国内又は外国において頒布された、上記引用文献１〜２に記載された発明に基いて、その優先日前にその発明の属する技術の分野における通常の知識を有する者が容易に発明をすることができたものであるから、特許法第２９条第２項の規定により特許を受けることができない、というものである。
第５　引用文献の記載事項及び引用文献に記載された発明
　原査定の拒絶の理由に引用された引用文献１及び２の記載事項は、上記第２　２（２）に示したとおりである。そして、引用発明１及び２は上記第２　２（２−２）及び（３−２）で認定したとおりのものである。
第６　対比及び判断
　本願発明は、補正発明を減縮したものであるから、補正発明は、本願発明の発明特定事項の全てを含んでいる。
　そうすると、補正発明が上記第２　２（４）に示したように、引用発明１及び２に基づいて、当業者が容易に発明することができたものであるから、本願発明も同様に、引用発明１及び２から容易に発明することができたものである。
第７　結び
　以上のとおり、本願発明は、特許法第２９条第２項の規定により特許を受けることができないから、本願は拒絶されるべきものである。
　よって、結論のとおり審決する。